(57)【要約】      （修正有）【課題】サイズ別に一定の順序でトレー上に配置して使用することによって、施術時間を１／２以下に短縮できるエクステンション睫毛施術用多機能トレーを提供する。【解決手段】所要のエクステンション睫毛を配置したシートを配設する区域１を備えており、この区域１には、エクステンション睫毛を配置したシートの挿入あるいは取り出しが容易にできるように周壁の除去部２を備えており、該トレーは、接着剤配置用台板を配置できる区域３を備えており、そして区域３の横には、カウンターが配置できる区域４を備えており、カウンターのレバーを押し易くする為に周壁除去部５を備える。さらにカウンターのリセットボタンを押せるようにくぼみ６を備えており、区域１に配設するエクステンション睫毛配置シートは区域１の周壁の内側に配設し使用し、該トレーの蓋は、エクステンション睫毛収納時の衛生保全のため、周壁を有し、収納物の長さに合わせて蓋の高さを決めることが出来る構造とする。【選択図】図１
0003145589.tif 000002
【実用新案登録請求の範囲】
【請求項１】
外周を所要の高さと厚さを有する壁で囲まれている一体の底付き箱状のトレーであって、その内部が、隔壁によって三つの区域に区分されており、三つの区域はそれぞれ所要の深さを有しており、その一つの区域には、一名以上の被施術者のエクステンション睫毛施術に必要十分な数量以上の形状および寸法が異なるエクステンション睫毛を所要の順序に従って配置し、エクステンション睫毛の長さすなわちサイズを表示する数値が刻印または印刷されているシートを予め用意し、該シートを挿入することができ、また該区域は該シートの配置に要する十分な広さの底面の面積を有し、また該区域の外周壁の所要の一部は、該シートの挿入・取り出しの便を高めるために取り除かれており、他の一つの区域には、施術したエクステンション睫毛の数を数えるためのカウンターが配設されており、カウンターを配設する該区域のトレー深さは、該カウンターの高さに合致するように作られており、該区域の形状・寸法は、該区域の内部にカウンターを静置し固定できるように作られており、且つ、該カウンターを配設した該区域を覆うカバーが付いており、該カバーにはスリット状の窓があけられており、該窓を通して該カウンターの所要の数列のみが外部から目視できる構造となっており、該カウンターとしては、機械式カウンターまたは電子式カウンターの何れかを配設でき、該カウンターのレバーが、該トレーの該区域の壁部に接触しないように、該壁部の一部が取り除かれており、配設された該カウンターのレバーを該壁部に接触することなく押して加算ができる構造となっており、残りのもう一つの区域には、滴状の接着剤を配置するための台板を配設できる構造になっていることを特徴とするエクステンション睫毛施術用トレー。
【請求項２】
請求項１で説明したエクステンション睫毛施術用トレーであって、専用の蓋を有し、該蓋は三つの該区域を覆うことができる構造を有し、且つ、該蓋をかぶせた状態であっても、エクステンション睫毛を配置した該シートを挿入した該区域内部を透視できる透明な材料で該蓋が作られていることを特徴とするエクステンション睫毛施術用トレー。
【請求項３】
請求項１で説明したエクステンション睫毛施術用トレーであって、該トレーの裏底面が平面状ではなくて凹形状に作られており、該トレーの裏底面の所定の部位が他の部位よりも突起しており、裏底面の接地部位に滑り止めパッドを貼り付けたことを特徴とするエクステンション睫毛施術用トレー。
【請求項４】
請求項１で説明したエクステンション睫毛施術用トレーであって、複数の該トレーを積み上げる事ができるように請求項２で述べた該蓋の上表面に凸形状が作り込まれており、該トレーの裏底面に凹形状が作り込まれており、該トレーを重ねたときに両者の凸部並びに凹部が勘合するように配設されていることを特徴とするエクステンション睫毛施術用トレー。
【請求項５】
請求項１で説明したエクステンション睫毛施術用トレーであって、接着剤を配置する該区域に、熱伝導性の低い天然石等の素材からなる接着剤配置用台板が配設できる構造となっていることを特徴とするエクステンション睫毛施術用トレー。
【請求項６】
請求項１で説明したエクステンション睫毛施術用トレーであって、カウンターを配設する該区域と接着剤を配置する該区域との位置を、左右に入れ替えることができる構造になっていることを特徴とするエクステンション睫毛施術用トレー。
【考案の詳細な説明】
【技術分野】
【０００１】  本考案は、エクステンション睫毛の施術能率を高めるための施術用トレーに関するものであり、考案したトレー上に、施術に使用するエクステンション睫毛を一定の順序に配置し、同じトレー上に接着剤配置用台板も配置し、施術順序にしたがって、同一トレー上で所要のエクステンション睫毛を選択して把持し、続いて接着剤を当該エクステンション睫毛に付着させた後に直ちに被施術者に対して施術でき、且つ施術した睫毛の数量を記録しつつ作業を進めることにより、確実な施術を行うとともに、施術効率を高めることができるよう考案したエクステンション睫毛施術用高能率多機能トレーである。
【背景技術】
【０００２】  従来は規則的に整列されていないエクステンション睫毛を収納した複数の容器から、必要なエクステンション睫毛を、施術者が一本ずつ目測で選定し、独立した接着剤トレー上に配置された接着剤を付けて施術し、且つ数量は施術者の記憶に頼っていた為、施術に時間がかかり、施術者の動きに無駄が多く、且つ施術本数についても、誤りが発生する恐れが大きかったので、本考案はかかる状況を改善するためのものであり、効率的且つ正確、且つ安全な施術を可能にしたものである。
【考案の開示】
【考案が解決しようとする課題】
【０００３】  従来は、エクステンション睫毛が、形状・長さ別に整列されておらず、施術者が一本ずつ必要な睫毛を目測で選定していたので、施術作業に多くの無駄時間がかかっており、さらに時間的余裕が無いため、安全な施術に対する配慮に欠ける部分があった。【０００４】  従来は、エクステンション睫毛が形状・サイズ別に容器に収納されており、施術の際に、必要な形状・サイズのエクステンション睫毛の容器を全て並べたため、施術に必要な空間が広く、無駄が多く、施術用トレーは滑りやすく、置く場所が不安定な場合、滑って落下したり、接着剤を被施術者の髪の毛や衣服に付着させてしまうトラブルがあった。【０００５】  従来は施術したエクステンション睫毛の数量の把握を施術者の記憶に頼っていたため、不正確であったり、数え直しを何度か行い、無駄な時間がかかっていた。
【課題を解決するための手段】
【０００６】  一回の施術に必要な各種形状・サイズのエクステンション睫毛を所要の順序に整列し、同一のトレー上に配置し、施術の手順に従って必要なエクステンション睫毛を施術者が容易に識別し選択できるようにした。【０００７】  従来は、独立した別個のトレーに接着剤を配置したが、本考案で同一のトレー上に配置することにより、施術者の無駄な動きを無くし、施術効率を著しく高めた。【０００８】  従来は、施術者が施術したエクステンション睫毛の数を記憶することにより、数量を握していたので、正確性に欠けることがあったが、接着剤をエクステンション睫毛に付けた後、カウンターのレバーを押す事により、施術数を正確に記録できるようにした。【０００９】  トレーの形状・寸法や素材は、通常使用するエクステンション睫毛の種類、カウンターの構造・寸法、接着剤の種類・量などに応じて、適宜定めることができるように、考案の応用範囲を広くし、汎用性を高めた。【００１０】  通常、エクステンション睫毛サイズの正確な識別が最も重要であり、サイズ別に並べれば、形状、太さ、色が異なるものが一緒に配置されていても構わない場合が多いので、考案したトレーには、エクステンション睫毛のサイズを直ちに識別できるように、所定の部位に数値を刻印または印刷し、エクステンション睫毛の配置を、この数値に従って行い得るようにし、トレー上のエクステンション睫毛の配置は、施術の内容に応じて変えることができるようにした。
【考案の効果】
【００１１】  施術に必要な長さ、太さ、カール形状の異なる複数種類のエクステンション睫毛を、サイズ別に一定の順序でトレー上に配置して使用することによって、施術時間を１／２以下に短縮した。【００１２】  接着剤を同一のトレー上に配置することにより、施術に必要な機材の配置面積を１／１０以下に減少させた。【００１３】  カウンターを接着剤の隣に配置することで、正確な施術数量の把握を可能にした。
【考案を実施するための最良の形態】
【００１４】  本考案によるエクステンション睫毛施術用トレーは、図１に示すように、所要のエクステンション睫毛を配置したシートを配設する区域１を備えており、この区域１には、エクステンション睫毛を配置したシートの挿入あるいは取り出しが容易にできるように周壁の除去部２を備えており、該トレーは、接着剤配置用台板を配置できる区域３を備えており、そして区域３の横には、カウンターが配置できる区域４を備えており、カウンターのレバーを押し易くする為に周壁除去部５を備えてあり、さらにカウンターのリセットボタンを押せるようにくぼみ６を備えており、区域１に配設するエクステンション睫毛配置シートは図５に示すような形状をしており、図１の区域１の周壁の内側に配設し使用し、該トレーの蓋は、エクステンション睫毛収納時の衛生保全のため、周壁を有し、収納しているエクステンション睫毛の長さに合わせて蓋の高さを決めることが出来る構造を有し、図３のような形状を持っており、区域３には、熱伝導性の低い素材で作られた図４のような接着剤配置用台板を配置しており、区域４に配置するカウンターを覆う窓付きカバーは図７に示すような形状である。
【実施例】
【００１５】  被施術者の希望に合った長さ・カール形状・太さのエクステンション睫毛を、サイズ順に同一トレー上に配設し、所要な長さのエクステンション睫毛をピンセットで摘み取り、接着剤を付けた後に、カウンターにて数を記録し、エクステンション睫毛を睫毛に装着施術していく作業を繰り返し被施術者の希望の数までエクステンション睫毛を装着施術し、施術を終えたら使用数を把握して、一回の施術を終了し、続いて、次の被施術者の為にエクステンション睫毛、接着材、カウンターをリセットする。
【産業上の利用可能性】
【００１６】  エクステンション睫毛施術を行う各サロンの施術台一台当り、四〜六個の施術用トレーが必要になるので、現在全国に２０００店舗サロンがあることから、使用されている施術台の平均台数を三台とすると、約３０，０００個以上の施術用トレーが必要となり、中国・韓国・米国など世界各国にも輸出する場合、当面、３００，０００個の施術用トレーが必要になると予想される。
【図面の簡単な説明】
【００１７】
【図１】  本考案のエクステンション睫毛施術用トレーの本体を斜め上方から見た立体図である。
【図２】  本考案のエクステンション睫毛施術用トレーの本体の裏底面を斜め上方から見た立体図である。
【図３】  本考案のエクステンション睫毛施術用トレーの本体に配置する蓋を斜め上方から見た立体図である。
【図４】  本考案のエクステンション睫毛施術用トレーの本体に配置する蓋の裏底面を斜め上方から見た立体図である。
【図５】  本考案のエクステンション睫毛施術用トレーの本体に配置するエクステンション睫毛シートの正面図である。
【図６】  本考案のエクステンション睫毛施術用トレーの本体に配置するカウンターの蓋の立体図である。
【図７】  本考案のエクステンション睫毛施術用トレーの本体に配置する接着剤配置用台板の立体図である。
【符号の説明】
【００１８】１．エクステンション睫毛を配置したシート又はプレートを配設するための区域
２．エクステンション睫毛を配置したシート又はプレートの入れ替えを容易にするための周壁除去部
３．接着剤配置用台板配置の為の区域
４．カウンター配設の為の区域
５．カウンターのレバーの為の区域
６．カウンターのリセットボタンの為の隔壁除去部
７．トレー裏底面の凹部
８．トレーの周壁
９．トレー内部の隔壁
１０．トレー内部の隔壁
１１．トレー裏底面の凸部
１２．蓋をしたままで重ねた場合に、蓋に設けられた凸部と篏合する凹部
１３．トレー裏底面の滑り止めパッド
Ａ．蓋をかぶせたときに、トレーの周壁の上に乗る部分
Ｂ．トレーの両側面をはさむ部分
Ｃ．カウンター配設区域カバーとの干渉を避けるために、蓋側壁の一部を除去した部分
Ｄ．蓋をしたままで重ねた場合に、トレー裏底面に設けられた凹部と篏合する凸部
Ｅ．蓋の内部の構造を見せるために、図面の上で入れた切り込み
【図１】
0003145589.tif 000003
【図２】
0003145589.tif 000004
【図３】
0003145589.tif 000005
【図４】
0003145589.tif 000006
【図５】
0003145589.tif 000007
【図６】
0003145589.tif 000008
【図７】
0003145589.tif 000009
【手続補正書】
【提出日】平成20年7月9日(2008.7.9)
【手続補正１】
【補正対象書類名】図面
【補正対象項目名】図５
【補正方法】変更
【補正の内容】
【図５】
0003145589.tif 000010